(57)【要約】      （修正有）【課題】適正な組み付け作業性を確保することができるプロテクタ及びワイヤハーネスを提供する。【解決手段】ワイヤハーネスＷＨに適用されるプロテクタ１は、配索材Ｗが挿通されると共に一対の壁面部１０ａ、１０ｂによって開口部１２が形成された本体部１０と、開口部１２を閉鎖する閉鎖部２０ａ及びそれぞれ壁面部１０ａ、１０ｂと対向して重なる一対のラップ部２０ｂ、２０ｃを有する蓋部２０と、壁面部１０ａ、１０ｂにそれぞれ形成され固定部材５０を挿通可能である本体部側切り欠き部３０と、ラップ部２０ｂ、２０ｃの本体部側切り欠き部３０と対向する位置にそれぞれ形成され本体部側切り欠き部３０と共に固定部材５０を挿通可能である蓋部側切り欠き部４０とを備える。【選択図】図２
2018182781.tif 000002
【特許請求の範囲】
【請求項１】
内部に第１方向に沿って導電性の配索材が挿通されると共に前記配索材が位置する空間部を挟んで対向する一対の壁面部によって前記第１方向と交差する第２方向の一方側に開口する開口部が形成された本体部と、
前記本体部に組み付けられ前記開口部を閉鎖する閉鎖部、及び、前記閉鎖部から突出して形成され前記閉鎖部が前記開口部を閉鎖した状態でそれぞれ前記壁面部と対向して重なる一対のラップ部を有する蓋部と、
前記壁面部の前記開口部側の端部にそれぞれ形成され前記空間部の内外を連通し前記配索材及び前記本体部に巻き回されて当該配索材を当該本体部に固定する固定部材を挿通可能である本体部側切り欠き部と、
前記蓋部が前記開口部を閉鎖した状態で前記ラップ部の前記閉鎖部側とは反対側の端部の前記本体部側切り欠き部と対向する位置にそれぞれ形成され前記本体部側切り欠き部と共に前記空間部の内外を連通し前記固定部材を挿通可能である蓋部側切り欠き部とを備えることを特徴とする、
プロテクタ。
【請求項２】
前記ラップ部は、前記空間部の内側に位置し、
前記蓋部側切り欠き部は、前記ラップ部の前記閉鎖部側とは反対側の端部から前記閉鎖部側の端部まで延在する、
請求項１に記載のプロテクタ。
【請求項３】
導電性の配索材と、
前記配索材に装着され当該配索材を保護するプロテクタとを備え、
前記プロテクタは、
内部に第１方向に沿って前記配索材が挿通されると共に前記配索材が位置する空間部を挟んで対向する一対の壁面部によって前記第１方向と交差する第２方向の一方側に開口する開口部が形成された本体部と、
前記本体部に組み付けられ前記開口部を閉鎖する閉鎖部、及び、前記閉鎖部から突出して形成され前記閉鎖部が前記開口部を閉鎖した状態でそれぞれ前記壁面部と対向して重なる一対のラップ部を有する蓋部と、
前記壁面部の前記開口部側の端部にそれぞれ形成され前記空間部の内外を連通し前記配索材及び前記本体部に巻き回されて当該配索材を当該本体部に固定する固定部材を挿通可能である本体部側切り欠き部と、
前記蓋部が前記開口部を閉鎖した状態で前記ラップ部の前記閉鎖部側とは反対側の端部の前記本体部側切り欠き部と対向する位置にそれぞれ形成され前記本体部側切り欠き部と共に前記空間部の内外を連通し前記固定部材を挿通可能である蓋部側切り欠き部とを備えることを特徴とする、
ワイヤハーネス。
【発明の詳細な説明】
【技術分野】
【０００１】
本発明は、プロテクタ、及び、ワイヤハーネスに関する。
【背景技術】
【０００２】
車両等に搭載されるワイヤハーネスのプロテクタとして、例えば、特許文献１には、収容部とカバー部とからなる合わせ構造であり、ワイヤハーネスをテープ巻きで収容部に固定するハーネスプロテクタが開示されている。このハーネスプロテクタは、収容部とカバー部との合わせ目部において少なくとも一方にテープを通過させる凹部が形成されている。
【先行技術文献】
【特許文献】
【０００３】
【特許文献１】実開平０４−０１７６１８号公報
【発明の概要】
【発明が解決しようとする課題】
【０００４】
ところで、上述の特許文献１に記載のハーネスプロテクタは、例えば、挿通される電線群の径が大径であった場合でも適正な組み付け作業性を確保することができる構成が望まれている。
【０００５】
本発明は、上記の事情に鑑みてなされたものであって、適正な組み付け作業性を確保することができるプロテクタ、及び、ワイヤハーネスを提供することを目的とする。
【課題を解決するための手段】
【０００６】
上記目的を達成するために、本発明に係るプロテクタは、内部に第１方向に沿って導電性の配索材が挿通されると共に前記配索材が位置する空間部を挟んで対向する一対の壁面部によって前記第１方向と交差する第２方向の一方側に開口する開口部が形成された本体部と、前記本体部に組み付けられ前記開口部を閉鎖する閉鎖部、及び、前記閉鎖部から突出して形成され前記閉鎖部が前記開口部を閉鎖した状態でそれぞれ前記壁面部と対向して重なる一対のラップ部を有する蓋部と、前記壁面部の前記開口部側の端部にそれぞれ形成され前記空間部の内外を連通し前記配索材及び前記本体部に巻き回されて当該配索材を当該本体部に固定する固定部材を挿通可能である本体部側切り欠き部と、前記蓋部が前記開口部を閉鎖した状態で前記ラップ部の前記閉鎖部側とは反対側の端部の前記本体部側切り欠き部と対向する位置にそれぞれ形成され前記本体部側切り欠き部と共に前記空間部の内外を連通し前記固定部材を挿通可能である蓋部側切り欠き部とを備えることを特徴とする。
【０００７】
また、上記プロテクタでは、前記ラップ部は、前記空間部の内側に位置し、前記蓋部側切り欠き部は、前記ラップ部の前記閉鎖部側とは反対側の端部から前記閉鎖部側の端部まで延在するものとすることができる。
【０００８】
上記目的を達成するために、本発明に係るワイヤハーネスは、導電性の配索材と、前記配索材に装着され当該配索材を保護するプロテクタとを備え、前記プロテクタは、内部に第１方向に沿って前記配索材が挿通されると共に前記配索材が位置する空間部を挟んで対向する一対の壁面部によって前記第１方向と交差する第２方向の一方側に開口する開口部が形成された本体部と、前記本体部に組み付けられ前記開口部を閉鎖する閉鎖部、及び、前記閉鎖部から突出して形成され前記閉鎖部が前記開口部を閉鎖した状態でそれぞれ前記壁面部と対向して重なる一対のラップ部を有する蓋部と、前記壁面部の前記開口部側の端部にそれぞれ形成され前記空間部の内外を連通し前記配索材及び前記本体部に巻き回されて当該配索材を当該本体部に固定する固定部材を挿通可能である本体部側切り欠き部と、前記蓋部が前記開口部を閉鎖した状態で前記ラップ部の前記閉鎖部側とは反対側の端部の前記本体部側切り欠き部と対向する位置にそれぞれ形成され前記本体部側切り欠き部と共に前記空間部の内外を連通し前記固定部材を挿通可能である蓋部側切り欠き部とを備えることを特徴とする。
【発明の効果】
【０００９】
本発明に係るプロテクタ、及び、ワイヤハーネスは、本体部の開口部を形成する一対の壁面部と、当該開口部を閉鎖する蓋部の一対のラップ部とが対向し重なると共にそれぞれに固定部材を挿通可能とする本体部側切り欠き部、蓋部側切り欠き部が形成されている。この構成により、プロテクタ、及び、ワイヤハーネスは、適正な組み付け作業性を確保することができる、という効果を奏する。
【図面の簡単な説明】
【００１０】
【図１】図１は、実施形態に係るプロテクタの概略構成を表す模式的な分解斜視図である。
【図２】図２は、実施形態に係るプロテクタの概略構成を表す模式的な分解斜視図である。
【図３】図３は、実施形態に係るプロテクタの概略構成を表す斜視図である。
【図４】図４は、実施形態に係るプロテクタの本体部側切り欠き部、蓋部側切り欠き部を含む模式的な部分断面図である。
【図５】図５は、変形例に係るプロテクタの本体部側切り欠き部、蓋部側切り欠き部を含む模式的な部分斜視図である。
【図６】図６は、変形例に係るプロテクタの本体部側切り欠き部、蓋部側切り欠き部を含む模式的な部分断面図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
なお、以下で説明する各図において、当該各図をわかり易くするため、配索材を二点鎖線で省略して図示している部分がある。図４、図５、図６は、複数設けられる本体部側切り欠き部、蓋部側切り欠き部を簡略的に共通で図示している。また、以下の説明では、互いに交差する第１方向、第２方向、及び、第３方向のうち、第１方向を「奥行き方向Ｘ」といい、第２方向を「高さ方向Ｙ」といい、第３方向を「幅方向Ｚ」という。ここでは、奥行き方向Ｘと高さ方向Ｙと幅方向Ｚとは、相互に略直交する。奥行き方向Ｘは、典型的には、当該プロテクタに挿通された配索材の延在方向に相当する。以下の説明で用いる各方向は、特に断りのない限り、プロテクタの各部が組み付けられた状態での方向として説明する。
【００１３】
［実施形態］
図１、図２、図３に示すプロテクタ１は、自動車等の車両に搭載され、ワイヤハーネスＷＨに組み込まれ、導電性の配索材Ｗに外装され当該配索材Ｗを保護するものである。ここで、ワイヤハーネスＷＨは、例えば、車両に搭載される各装置間の接続のために、電源供給や信号通信に用いられる複数の配索材Ｗを束にして集合部品とし、コネクタ等で複数の配索材Ｗを各装置に接続するようにしたものである。ワイヤハーネスＷＨは、導電性の配索材Ｗと、配索材Ｗに装着され当該配索材Ｗを保護するプロテクタ１とを備える。配索材Ｗは、例えば、金属棒、電線、電線束等によって構成される。金属棒は、導電性の棒状部材の外側を絶縁性の被覆部によって覆ったものである。電線は、複数の導電性の金属素線からなる導体部（芯線）の外側を絶縁性の被覆部によって覆ったものである。電線束は、当該電線を束ねたものである。そして、本実施形態のワイヤハーネスＷＨは、配索材Ｗに組み付けられるプロテクタ１において、一対のラップ部２０ｂ、２０ｃと、本体部側切り欠き部３０と、蓋部側切り欠き部４０とが設けられることで、適正な組み付け作業性の確保を図ったものである。以下、各図を参照してプロテクタ１の構成について詳細に説明する。なお、ワイヤハーネスＷＨは、この他、さらに、電気接続箱、グロメット、固定具、コネクタ等を含んで構成されてもよい。
【００１４】
具体的には、プロテクタ１は、絶縁性の樹脂材料によって略筒形状に形成される。本実施形態のプロテクタ１は、配索材Ｗが挿通され当該配索材Ｗが直線状に配索されるものであるがこれに限らず、当該配索材Ｗが屈曲されて配索されるものであってもよい。プロテクタ１は、本体部１０と、蓋部２０と、本体部側切り欠き部３０と、蓋部側切り欠き部４０とを備える。プロテクタ１は、本体部１０と、本体部側切り欠き部３０と、蓋部側切り欠き部４０とが絶縁性の樹脂材料によって一体で形成される一方、蓋部２０がこれらとは別体に形成される。プロテクタ１は、本体部１０と蓋部２０とが相互に組み付けられることで、全体として略筒形状、ここでは、略矩形筒形状に形成される。
【００１５】
本体部１０は、内部に奥行き方向Ｘに沿って導電性の配索材Ｗが挿通され配索されるものである。ここでは、本体部１０は、奥行き方向Ｘの両端部、及び、高さ方向Ｙの一端部が開口した略矩形樋形状に形成される。本体部１０は、奥行き方向Ｘに沿って一方の開口から他方の開口まで配索材Ｗが挿通される。言い換えれば、本体部１０は、配索材Ｗの周囲に外装され当該配索材Ｗを保護する。
【００１６】
より詳細には、本体部１０は、一対の側壁部１０ａ、１０ｂと、底部１０ｃとを含んで構成され、これらが一体となって略矩形樋形状に形成される。一対の側壁部１０ａ、１０ｂは、本体部１０の内部空間部を区画するための壁体である。底部１０ｃは、本体部１０の内部空間部を区画するための底体である。
【００１７】
一対の側壁部１０ａ、１０ｂは、共に幅方向Ｚが板厚方向となる略矩形板状に形成される。一対の側壁部１０ａ、１０ｂは、奥行き方向Ｘ、及び、高さ方向Ｙに沿って延在する。一対の側壁部１０ａ、１０ｂは、幅方向Ｚに沿って間隔をあけて対向して位置し、幅方向Ｚに対して底部１０ｃを挟んで両側に設けられる。一対の側壁部１０ａ、１０ｂは、底部１０ｃから高さ方向Ｙに沿って突出するように立設される。ここでは、側壁部１０ａと側壁部１０ｂとは、奥行き方向Ｘ、及び、高さ方向Ｙに沿った長さがそれぞれほぼ同等である。側壁部１０ａと側壁部１０ｂとは、高さ方向Ｙにおいて底部１０ｃ側とは反対側の端部に係止部としての係止凹部１０ｄが形成される。係止凹部１０ｄは、蓋部２０が係止される部分である。ここでは、係止凹部１０ｄは、側壁部１０ａ、１０ｂそれぞれにおいて奥行き方向Ｘに沿って間隔をあけて複数、ここでは２つ設けられる。
【００１８】
底部１０ｃは、高さ方向Ｙが板厚方向となる略矩形板状に形成される。底部１０ｃは、奥行き方向Ｘ、及び、幅方向Ｚに沿って延在する。底部１０ｃは、幅方向Ｚに対して一対の側壁部１０ａ、１０ｂの間に位置し、両端部がそれぞれ各側壁部１０ａ、１０ｂと接続される。さらに言えば、底部１０ｃは、幅方向Ｚに沿って一対の側壁部１０ａ、１０ｂの間に延在し、幅方向Ｚの一方の端部から側壁部１０ａが高さ方向Ｙに沿って立設され、幅方向Ｚの他方の端部から側壁部１０ｂが高さ方向Ｙに沿って側壁部１０ａと同じ側に立設される。また、底部１０ｃは、奥行き方向Ｘに沿って側壁部１０ａ、１０ｂの一方の端部から他方の端部まで延在する。
【００１９】
上記のように構成される本体部１０は、一対の側壁部１０ａ、１０ｂと底部１０ｃとによって上述したように奥行き方向Ｘの両端部、及び、高さ方向Ｙの一端部が開口した略矩形樋形状に形成される。より詳細には、本体部１０は、一対の側壁部１０ａ、１０ｂ、及び、底部１０ｃによって奥行き方向Ｘの両端部に、それぞれ当該奥行き方向Ｘに開口する挿通開口部１１が形成される。挿通開口部１１は、本体部１０の内部に配索材Ｗを挿通させる開口部である。また、本体部１０は、一対の壁面部としての側壁部１０ａ、１０ｂによって高さ方向Ｙの一方側の端部（底部１０ｃとは反対側の端部）に、当該高さ方向Ｙの一方側に開口する開閉開口部１２が形成される。開閉開口部１２は、典型的には、本体部１０の内部に配索材Ｗを挿通させる際に開放されると共に挿通後に蓋部２０によって閉鎖される開口部である。
【００２０】
蓋部２０は、本体部１０に組み付けられ当該本体部１０に形成された開閉開口部１２を閉鎖するものである。蓋部２０は、閉鎖部２０ａと、一対のラップ部２０ｂ、２０ｃとを含んで構成され、これらが一体となって略矩形板形状に形成される。閉鎖部２０ａは、本体部１０の内部空間部を区画するための蓋体である。一対のラップ部２０ｂ、２０ｃは、本体部１０の一対の側壁部１０ａ、１０ｂと重なる重複体である。
【００２１】
閉鎖部２０ａは、本体部１０の一対の側壁部１０ａ、１０ｂに組み付けられ、開閉開口部１２を閉鎖する部分である。閉鎖部２０ａは、一対の側壁部１０ａ、１０ｂの間に形成された開閉開口部１２の大部分を閉鎖可能な大きさの略矩形板状に形成される。閉鎖部２０ａは、開閉開口部１２を閉鎖した状態で、高さ方向Ｙが板厚方向となる略矩形板状に形成され、奥行き方向Ｘ、及び、幅方向Ｚに沿って延在する。
【００２２】
一対のラップ部２０ｂ、２０ｃは、閉鎖部２０ａから高さ方向Ｙに沿って突出して形成され閉鎖部２０ａが開閉開口部１２を閉鎖した状態でそれぞれ側壁部１０ａ、１０ｂと対向して重なる部分である（図４も参照）。一対のラップ部２０ｂ、２０ｃは、閉鎖部２０ａが開閉開口部１２を閉鎖した状態で、共に幅方向Ｚが板厚方向となる略矩形板状に形成され、奥行き方向Ｘ、及び、高さ方向Ｙに沿って延在する。一対のラップ部２０ｂ、２０ｃは、幅方向Ｚに沿って間隔をあけて対向して位置し、幅方向Ｚに対して閉鎖部２０ａを挟んで両側に設けられる。ここでは、一対のラップ部２０ｂ、２０ｃは、閉鎖部２０ａの幅方向Ｚの両縁にそれぞれ設けられ、奥行き方向Ｘに沿って閉鎖部２０ａの一方の端部から他方の端部まで延在する。言い換えれば、上述の閉鎖部２０ａは、幅方向Ｚに対して一対のラップ部２０ｂ、２０ｃの間に位置し、両端部がそれぞれ各ラップ部２０ｂ、２０ｃと接続される。さらに言えば、閉鎖部２０ａは、幅方向Ｚに沿って一対のラップ部２０ｂ、２０ｃの間に延在し、幅方向Ｚの一方の端部からラップ部２０ｂが高さ方向Ｙに沿って本体部１０側に立設され、幅方向Ｚの他方の端部からラップ部２０ｃが高さ方向Ｙに沿ってラップ部２０ｂと同じ側に立設される。ここでは、ラップ部２０ｂとラップ部２０ｃとは、奥行き方向Ｘ、及び、高さ方向Ｙに沿った長さがそれぞれほぼ同等である。ラップ部２０ｂとラップ部２０ｃとは、高さ方向Ｙにおいて閉鎖部２０ａ側とは反対側の端部に被係止部としての係止爪部２０ｄが形成される。係止爪部２０ｄは、本体部１０の係止凹部１０ｄに係止される部分である。ここでは、係止爪部２０ｄは、ラップ部２０ｂ、２０ｃそれぞれにおいて奥行き方向Ｘに沿って間隔をあけて複数、ここでは２つ設けられる。
【００２３】
上記のように構成される蓋部２０は、ラップ部２０ｂ、２０ｃに形成された各係止爪部２０ｄが本体部１０の側壁部１０ａ、１０ｂに形成された各係止凹部１０ｄに係止されることで本体部１０に組み付けられる。蓋部２０は、本体部１０に組み付けられた状態で、閉鎖部２０ａが開閉開口部１２を閉鎖すると共にラップ部２０ｂが側壁部１０ａと幅方向Ｚに沿って対向して重なり、ラップ部２０ｃが側壁部１０ｂと幅方向Ｚに沿って対向し重なる。そして、本体部１０は、一対の側壁部１０ｂ、１０ｃ、底部１０ｃ、及び、当該本体部１０に組み付けられる蓋部２０の閉鎖部２０ａによって囲われた内部空間部が配置空間部１３として機能する。配置空間部１３は、配索材Ｗが挿通され、当該配索材Ｗが位置する空間部である。配置空間部１３は、蓋部２０が本体部１０に組み付けられた状態で、奥行き方向Ｘの両側に開口する。このとき、底部１０ｃは、配置空間部１３の高さ方向Ｙの一方側を閉塞させる。また、蓋部２０の閉鎖部２０ａは、高さ方向Ｙに沿って底部１０ｃと間隔をあけて対向して位置し、配置空間部１３の高さ方向Ｙの他方側を閉塞させる。そして、一対の側壁部１０ｂ、１０ｃは、幅方向Ｚに対して配置空間部１３を挟んで対向して位置する。本体部１０は、内部に形成された当該配置空間部１３内に配索材Ｗが挿通され配索される。ここでは、一対のラップ部２０ｂ、２０ｃは、それぞれ配置空間部１３の外側に位置し、すなわち、外部空間部側で幅方向Ｚに沿って側壁部１０ａ、１０ｂと対向して重なる。
【００２４】
本体部側切り欠き部３０は、図４にも示すように、各側壁部１０ａ、１０ｂの高さ方向Ｙの開閉開口部１２側の端部にそれぞれ形成される。つまり、各本体部側切り欠き部３０は、各側壁部１０ａ、１０ｂにおいて蓋部２０のラップ部２０ｂ、２０ｃと重なる側の端部に一対で形成される。各本体部側切り欠き部３０は、それぞれ幅方向Ｚに沿って側壁部１０ａ、１０ｂを貫通し配置空間部１３の内外を連通する。各本体部側切り欠き部３０は、固定部材５０を挿通可能な形状に形成される。ここで、固定部材５０は、配索材Ｗ及び本体部１０に巻き回されて当該配索材Ｗを当該本体部１０に固定する巻き回し部材である。固定部材５０は、例えば、粘着性の巻テープであるがこれに限らずいわゆる結束バンド等であってもよい。各本体部側切り欠き部３０は、配索材Ｗ及び本体部１０に巻き回された状態の固定部材５０の一部を収容し当該固定部材５０の奥行き方向Ｘに沿った移動を規制可能である。ここでは、各本体部側切り欠き部３０は、幅方向Ｚと直交する断面形状が固定部材５０の断面形状よりもやや大きい略矩形状に形成される。側壁部１０ａに形成された本体部側切り欠き部３０と側壁部１０ｂに形成された本体部側切り欠き部３０とは、幅方向Ｚに対して相互に対向する位置に形成されている。
【００２５】
蓋部側切り欠き部４０は、図４にも示すように、蓋部２０が開閉開口部１２を閉鎖した状態でラップ部２０ｂ、２０ｃの高さ方向Ｙの閉鎖部２０ａ側とは反対側の端部にそれぞれ形成される。つまり、各蓋部側切り欠き部４０は、各ラップ部２０ｂ、２０ｃにおいて本体部１０の側壁部１０ａ、１０ｂと重なる側の端部に一対で形成される。各蓋部側切り欠き部４０は、ラップ部２０ｂ、２０ｃの高さ方向Ｙの閉鎖部２０ａ側とは反対側の端部において、幅方向Ｚに対して各本体部側切り欠き部３０と対向する位置にそれぞれ形成される。各蓋部側切り欠き部４０は、それぞれ幅方向Ｚに沿ってラップ部２０ｂ、２０ｃを貫通し本体部側切り欠き部３０と共に配置空間部１３の内外を連通する。各蓋部側切り欠き部４０は、固定部材５０を挿通可能な形状に形成される。各蓋部側切り欠き部４０は、配索材Ｗ及び本体部１０に巻き回された状態の固定部材５０の一部を収容する。ここでは、各蓋部側切り欠き部４０は、幅方向Ｚと直交する断面形状が固定部材５０の断面形状よりもやや大きい略矩形状に形成される。ラップ部２０ｂに形成された蓋部側切り欠き部４０とラップ部２０ｃに形成された蓋部側切り欠き部４０とは、幅方向Ｚに対して相互に対向する位置に形成されている。
【００２６】
上記のように構成されるプロテクタ１は、例えば、蓋部２０が本体部１０に組み付けられていない状態で、配索材Ｗが奥行き方向Ｘに沿って本体部１０内の配置空間部１３に挿通される。その後、プロテクタ１は、配索材Ｗに固定部材５０が巻き回され、当該固定部材５０が本体部１０に巻き回されて当該本体部１０に固定されることで、配索材Ｗが当該固定部材５０を介して本体部１０に固定される。このとき、固定部材５０は、側壁部１０ａ、１０ｂに形成された各本体部側切り欠き部３０を通り当該各本体部側切り欠き部３０内に一部が収容されるようにして配索材Ｗと本体部１０とに巻き回される（図２、図４等参照）。つまり、固定部材５０は、一部が各本体部側切り欠き部３０に収容され挿通された状態で配索材Ｗと本体部１０とが相対移動しないように相互に固定する。この構成により、プロテクタ１は、固定部材５０を介して本体部１０に配索材Ｗが束ねられた状態で固定される。そして、プロテクタ１は、固定部材５０の一部が収容された各本体部側切り欠き部３０の端面が固定部材５０の押え部となり、当該固定部材５０が奥行き方向Ｘに沿って移動することを規制することができるので、配索材Ｗと本体部１０とを確実に固定することができる。その後、プロテクタ１は、閉鎖部２０ａが開閉開口部１２を閉鎖し、各ラップ部２０ｂ、２０ｃが配置空間部１３の外側で側壁部１０ａ、１０ｂと幅方向Ｚに重なる位置関係で、蓋部２０が本体部１０に組み付けられる（図３、図４等参照）。蓋部２０は、各係止爪部２０ｄが各係止凹部１０ｄに係止されることで本体部１０に組み付けられる。プロテクタ１は、蓋部２０が本体部１０に組み付けられた状態で、各蓋部側切り欠き部４０内に配索材Ｗ及び本体部１０に巻き回された状態の固定部材５０の一部が収容される。
【００２７】
以上で説明したプロテクタ１、及び、ワイヤハーネスＷＨは、本体部１０の開閉開口部１２を形成する一対の側壁部１０ａ、１０ｂと、当該開閉開口部１２を閉鎖する蓋部２０の一対のラップ部２０ｂ、２０ｃとが対向して重なる構成である。そして、プロテクタ１、及び、ワイヤハーネスＷＨは、側壁部１０ａ、１０ｂ、ラップ部２０ｂ、２０ｃのそれぞれに固定部材５０を挿通可能とする本体部側切り欠き部３０、蓋部側切り欠き部４０が形成されている。この構成により、プロテクタ１、及び、ワイヤハーネスＷＨは、適正な組み付け作業性を確保することができる。
【００２８】
すなわち、プロテクタ１は、本体部１０の内部に配索材Ｗが挿通されると共に本体部１０に組み付けられる蓋部２０の閉鎖部２０ａによって当該本体部１０の開閉開口部１２が閉鎖される。この場合、プロテクタ１は、本体部１０に蓋部２０が組み付けられる前に、本体部１０において開閉開口部１２を形成する一対の側壁部１０ａ、１０ｂに設けられた本体部側切り欠き部３０に固定部材５０が挿通される。そして、プロテクタ１は、当該固定部材５０が配索材Ｗ及び本体部１０に巻き回されて当該配索材Ｗが当該本体部１０に固定される。この構成により、プロテクタ１は、例えば、本体部１０に挿通される配索材Ｗが比較的に大径なものであっても、本体部１０に蓋部２０が組み付けられる前に、当該配索材Ｗを本体部１０に押えながら一旦仮固定することができ、蓋部２０を組み付け易い状態とすることができる。このとき、プロテクタ１は、本体部側切り欠き部３０が固定部材５０の巻き回し位置の目印として機能するので固定部材５０を巻き回す際の作業性を向上することができる。
【００２９】
そして、プロテクタ１は、閉鎖部２０ａが開閉開口部１２を閉鎖させた状態で、本体部１０の一対の側壁部１０ａ、１０ｂと対向して重なりうる位置に蓋部２０の一対のラップ部２０ｂ、２０ｃが設けられている。この構成により、プロテクタ１は、例えば、本体部１０に挿通される配索材Ｗが比較的に大径なものであっても、蓋部２０を本体部１０に組み付ける際に当該一対のラップ部２０ｂ、２０ｃによって本体部１０と蓋部２０との間に配索材Ｗが噛み込むことを規制することができる。
【００３０】
その上で、プロテクタ１は、蓋部２０の一対のラップ部２０ｂ、２０ｃにも本体部側切り欠き部３０と共に固定部材５０を挿通可能とする蓋部側切り欠き部４０が設けられている。この構成により、プロテクタ１は、固定部材５０が本体部１０と蓋部２０との組み付けを阻害することを回避することができる。
【００３１】
この結果、プロテクタ１、及び、ワイヤハーネスＷＨは、上記の通り、例えば、本体部１０に挿通される配索材Ｗが比較的に大径なものであっても、適正な組み付け作業性を確保することができる。
【００３２】
なお、上述した本発明の実施形態に係るプロテクタ、及び、ワイヤハーネスは、上述した実施形態に限定されず、特許請求の範囲に記載された範囲で種々の変更が可能である。
【００３３】
以上の説明では、プロテクタ１は、本体部１０に設けられる係止部が係止凹部１０ｄであり、蓋部２０に設けられる被係止部が係止爪部２０ｄであるものとして説明したがこの逆でもよい。つまり、プロテクタ１は、本体部１０に設けられる係止部が係止爪部であり、蓋部２０に設けられる被係止部が係止凹部であってもよい。また、プロテクタ１は、本体部１０と蓋部２０との係止構造が他の形式の構造であってもよい。
【００３４】
以上の説明では、第１方向である奥行き方向Ｘと第２方向である高さ方向Ｙと第３方向である幅方向Ｚとは、相互に略直交するものとして説明したがこれに限らず、少なくとも相互に交差していればよい。
【００３５】
以上で説明したプロテクタ１は、上述したように配索材Ｗが屈曲されて配索されるものであってもよい。この場合、プロテクタ１は、配索材Ｗの挿通方向に対して、屈曲された部分を挟み込むように当該屈曲された部分の両側に、それぞれ本体部側切り欠き部３０、蓋部側切り欠き部４０、固定部材５０が設けられてもよい。
【００３６】
以上の説明では、一対のラップ部２０ｂ、２０ｃは、それぞれ配置空間部１３の外側に位置するものとして説明したがこれに限らない。
【００３７】
図５、図６に示す変形例に係るワイヤハーネスＷＨは、プロテクタ１にかえてプロテクタ２０１を備える。プロテクタ２０１は、蓋部２０にかえて蓋部２２０を備え、蓋部側切り欠き部４０にかえて蓋部側切り欠き部２４０を備える点で上述の実施形態と異なり、その他の構成は、当該実施形態と略同様の構成である。蓋部２２０は、ラップ部２０ｂ、２０ｃにかえてラップ部２２０ｂ、２２０ｃを備える点で上述の実施形態と異なり、その他の構成は、当該実施形態と略同様の構成である。本変形例に係る一対のラップ部２２０ｂ、２２０ｃは、それぞれ配置空間部１３の内側に位置し、すなわち、本体部１０の内部空間部側で幅方向Ｚに沿って側壁部１０ａ、１０ｂと対向して重なる。蓋部側切り欠き部２４０は、当該各ラップ部２２０ｂ、２２０ｃにそれぞれ形成される。そして、本変形例の各蓋部側切り欠き部２４０は、高さ方向Ｙに沿って、各ラップ部２２０ｂ、２２０ｃの閉鎖部２０ａ側とは反対側の端部から閉鎖部２０ａ側の端部まで延在して形成される。つまり、各蓋部側切り欠き部２４０は、高さ方向Ｙに沿って各ラップ部２２０ｂ、２２０ｃを貫通し閉鎖部２０ａとの境界面まで延在して形成される。各蓋部側切り欠き部２４０のその他の構成は、上述した蓋部側切り欠き部４０と略同様の構成である。この場合、プロテクタ２０１は、閉鎖部２０ａが開閉開口部１２を閉鎖し、各ラップ部２２０ｂ、２２０ｃが配置空間部１３の内側で側壁部１０ａ、１０ｂと幅方向Ｚに重なる位置関係で、蓋部２２０が本体部１０に組み付けられる。この場合であっても、プロテクタ２０１、及び、ワイヤハーネスＷＨは、上記の通り、例えば、本体部１０に挿通される配索材Ｗが比較的に大径なものであっても、適正な組み付け作業性を確保することができる。
【符号の説明】
【００３８】
１、２０１    プロテクタ
１０    本体部
１０ａ、１０ｂ    側壁部（壁面部）
１２    開閉開口部（開口部）
１３    配置空間部（空間部）
２０、２２０    蓋部
２０ａ    閉鎖部
２０ｂ、２０ｃ、２２０ｂ、２２０ｃ    ラップ部
３０    本体部側切り欠き部
４０、２４０    蓋部側切り欠き部
５０    固定部材
Ｗ    配索材
ＷＨ    ワイヤハーネス
Ｘ    奥行き方向（第１方向）
Ｙ    高さ方向（第２方向）
【図１】
2018182781.tif 000003
【図２】
2018182781.tif 000004
【図３】
2018182781.tif 000005
【図４】
2018182781.tif 000006
【図５】
2018182781.tif 000007
【図６】
2018182781.tif 000008